(57)【要約】診断医療モダリティ上での仕様に適応したメトリックを遠隔に管理する方法が提供される。診断医療モダリティは、実行されたときに、メトリックに基づいて診断医療モダリティに医療調査を行わせるソフトウエア・プログラムに応答的である。方法は、ワールド・ワイド・ウェブを介して診断医療モダリティに関連付けられるメトリックを検索すること、メトリックの完全性を検証すること、及びメトリックを診断医療モダリティへダウンロードすることを含む。方法は、実行されたときに方法を実施する１又はそれ以上のソフトウエア・プログラムを格納したコンピュータ読み取り可能な記憶媒体によって実施されうる。
2006510982.tif 000002
【特許請求の範囲】
【請求項１】
診断医療モダリティ上での使用に適応したメトリックを遠隔に管理する方法であって、前記診断医療モダリティは、実行されたときに、前記診断医療モダリティに前記メトリックに基づいて医療調査を行なわせるソフトウエア・プログラムに応答的であり、前記方法は、
ワールド・ワイド・ウェブを介して前記診断医療モダリティに関連付けられるメトリックを検索する段階と、
前記メトリックの完全性を検証する段階と、
前記メトリックを前記診断医療モダリティへダウンロードする段階とを有する、方法。
【請求項２】
実行されたときに、請求項１記載の方法を実施する、１又はそれ以上のソフトウエア・プログラムが格納されたコンピュータ読み取り可能な記憶媒体。
【請求項３】
前記診断医療モダリティからの要求に基づいて、ワールド・ワイド・ウェブからメトリックを検索する段階を更に有する、請求項１記載の方法。
【請求項４】
前記メトリックは、中央位置で維持される、請求項１記載の方法。
【請求項５】
前記中央位置は、
多数の地理的位置において複数の診断医療モダリティに応答的なウェブ・サーバ、及び、
単一の地理的位置において少なくとも１つの診断医療モダリティに応答的なウェブ・サーバ、
のうちの一方である、請求項４記載の方法。
【請求項６】
前記メトリックを維持する段階は、
前記メトリックを前記診断医療モダリティへダウンロードする前に前記メトリックを自動的に更新する段階を更に有する、請求項５記載の方法。
【請求項７】
前記メトリックをダウンロードする段階は、医療調査を行う前に、更新されたメトリックを自動的にダウンロードする段階を更に有する、請求項５記載の方法。
【請求項８】
前記メトリックの維持は、前記ソフトウエア・プログラムの位置とは別である、請求項５記載の方法。
【請求項９】
前記メトリックは、医療計算を実行するための所定の規準を有し、前記医療計算は前記診断医療モダリティの出力を有する、請求項１記載の方法。
【請求項１０】
診断医療モダリティを用いて医療調査を行う方法であって、前記診断医療モダリティは、メトリックに応答的であり、実行されたときに前記診断医療モダリティに前記メトリックに基づいて前記医療調査を行わせるソフトウエア・プログラムに応答的であり、ウェブ・サーバに応答的であり、前記方法は、
前記メトリックを前記ウェブ・サーバから要求する段階と、
前記要求に基づいて、前記ウェブ・サーバから前記メトリックを検索し、前記診断医療モダリティ上で前記メトリックを認識する段階と、
前記認識されたメトリックに基づいて前記ソフトウエア・プログラムを実行させる段階とを有する、方法。
【請求項１１】
実行されたときに、請求項１０記載の方法を実施する、１又はそれ以上のソフトウエア・プログラムを格納したコンピュータ読み取り可能な媒体。
【請求項１２】
前記ソフトウエア・プログラムの実行中、前記診断医療モダリティと前記ウェブ・サーバ間では略全く相互作用が生じない、請求項１０記載の方法。
【請求項１３】
前記要求する段階は、前記ウェブ・サーバに前記診断医療モダリティに関連付けられた識別子を提供することを更に含む、請求項１０記載の方法。
【請求項１４】
前記メトリックは、医療計算を実行するための所定の規準を有し、前記医療計算は前記診断医療モダリティの出力を有する、請求項１０記載の方法。
【請求項１５】
前記ソフトウエア・プログラムが実行されているとき、前記診断医療モダリティは臨床測定を行なうようにされ、前記臨床測定及びメトリックに基づいて、前記医療計算が実行され、前記診断医療モダリティは、前記医療計算を出力されるようにされる、請求項１４記載の方法。
【請求項１６】
前記ソフトウエア・プログラムが実行されると、前記ソフトウエア・プログラムは前記医療計算に関連付けられる値を推定し、前記値は前記診断医療モダリティ及び前記メトリックによって行われた臨床測定の両方に依存する、請求項１４記載の方法。
【請求項１７】
前記ワールド・ワイド・ウェブから前記診断医療モダリティへ自動的にダウンロード可能なメトリックを記憶するよう、診断医療モダリティに応答的であり、前記メトリックは前記医療調査に関連して臨床医療計算を実行する所定の規準を有する、コンピュータ読み取り可能な記憶媒体と、
前記コンピュータ読み取り可能な媒体及びソフトウエア・プログラムに応答的なプロセッサとを有し、前記ソフトウエア・プログラムは前記プロセッサにロードされると、前記診断医療モダリティに前記メトリックに基づいて前記臨床医療計算を行なわせるよう動作可能である、
医療調査を行う装置。
【請求項１８】
診断医療モダリティに関連付けられるメトリックを管理するサービスを提供する方法であって、
コンピュータ読み取り可能な媒体中に、複数の診断医療モダリティに関連付けられる複数のメトリックを与え、前記メトリックは診断医療モダリティを用いて臨床医療計算を実行するための所定の規準を含む、段階と、
前記複数の診断医療モダリティのうちの少なくとも１つの前に臨床医療計算を実行し、前記複数のメトリックのうちの少なくとも１つがワールド・ワイド・ウェブを介して前記少なくとも１つの診断医療モダリティへ自動的にダウンロードされるようにする段階と、
前記少なくとも１つの診断医療モダリティに前記ダウンロードされたメトリックに基づいて前記臨床医療計算を実行させる段階とを有する、方法。
【発明の詳細な説明】
【技術分野】
【０００１】
本発明は、概して診断医療システム用のメトリック管理に関し、特に、診断医療モダリティ上での使用のためのメトリックの遠隔な管理、及び診断医療モダリティを用いた医療調査を行う装置及び方法に関連する。
【０００２】
従来は、Ｘ線システム、心拍記録計、磁気共鳴撮像システム、超音波、コンピュータ断層撮影スキャナ、及びポジトロン・エミッション断層撮影システム等の医療システム即ちモダリティは、臨床医療調査を行うために、特に、経験的測定に加え、外因性の情報源を調べていた。
【背景技術】
【０００３】
医療モダリティによって用いられる外因性の情報は、特に、医療モダリティによって行われる医療調査中に実行される計算結果を評価するために、特に、許容される規準即ちメトリックを含む。計算された結果の評価は、特に、診断の差別化を行い、医療モダリティ用の決定支援を構築するために、医療モダリティによって使用されうる。
【０００４】
標準（ｎｏｒｍ）は、医療モダリティによって用いられるメトリックの一種である。標準は、一般的には、医療モダリティによってなされる経験的な測定と共に用いられるテキストファイルであり、特定範囲の経験的な測定及び所定の入力の特定の範囲についての医療結論の通常値を示す。例えば、超音波装置は、超音波装置による胎児の腹囲の測定に基づき、推定される胎児の体重が所定の胎齢について通常範囲内であるか等の医療結論を決定するのに、標準ファイルを用いる。
【０００５】
一般的には、標準といったメトリックは、特定の医療モダリティに常駐するソフトウエアと統合される。メトリックをローカル・ソフトウエアと統合することは、医療モダリティの製造者及び顧客に対する難問を与える。標準が更新されると、例えば、新しいソフトウエアのリリースが要求されうる。更に、ローカルな標準の変更は、ソフトウエアのリリース全体に亘って保存されないかもしれない。
【０００６】
汎用コンピュータ上では、クライアント・サーバ・アーキテクチャ及びモジュール・プログラミング・技術は、幾つかのローカル・コンピュータ・ソフトウエア・コンポーネントが、遠隔コンピュータから得られるコンポーネントによって置き換えられることを可能とする。ローカルな汎用コンピュータはまた、遠隔コンピュータからデータを検索しうる。例えば、ワールド・ワイド・ウェブといった情報サービスは、ブラウザ・アプリケーションを有するコンピュータ・ユーザが、インターネット等のコンピュータ・ネットワークからデータを検索するのを許すよう標準的なプロトコルを用いる。しかしながら、かかるアーキテクチャ及び技術は、臨床設定におけるかかるモダリティの設計上及び動作上の非効率性を扱うよう、一般的には特定目的診断医療モダリティ上での使用には適応されていない。
【発明の開示】
【発明が解決しようとする課題】
【０００７】
従って、例えば、モジュール式ソフトウエア・プログラミング、クライアント・サーバ・アーキテクチャ、及びワールド・ワイド・ウェブといった特徴を用いる診断用医療モダリティに関する使用に適した管理メトリックの方法が必要とされる。
【課題を解決するための手段】
【０００８】
本発明の面によれば、上述の必要性は、診断医療モダリティ上での使用に適したメトリックを遠隔に管理する方法によって扱われる。診断医療モダリティは、実行されたときに、診断医療モダリティにメトリックに基づいて医療調査を行なわせるソフトウエア・プログラムに応答的である。方法は、ワールド・ワイド・ウェブを介して診断医療モダリティに関連付けられるメトリックを検索する段階と、メトリックの完全性を検証する段階と、メトリックを診断医療モダリティへダウンロードする段階とを含む。方法は、実行されたときに方法を実行する１つ又はそれ以上のソフトウエア・プログラムが記憶されたコンピュータ読み取り可能な記憶媒体によって実施されうる。
【０００９】
本発明の他の面によれば、診断医療モダリティを用いて医療調査を行う方法が提供される。診断医療モダリティは、メトリックに応答的であり、実行されたときに診断医療モダリティにメトリックに基づいて医療調査を行わせるソフトウエア・プログラムに応答的であり、ウェブ・サーバに応答的である。方法は、メトリックをウェブ・サーバから要求する段階と、要求に基づいて、ウェブ・サーバからメトリックを検索し、診断医療モダリティ上でメトリックを認識する段階と、認識されたメトリックに基づいてソフトウエア・プログラムを実行させる段階とを有する。本発明は、実行されたときに、方法を実施する、１又はそれ以上のソフトウエア・プログラムを格納したコンピュータ読み取り可能な媒体によって実施されうる。
【００１０】
本発明の更なる面によれば、医療調査を行う装置は、ワールド・ワイド・ウェブから診断医療モダリティへ自動的にダウンロード可能なメトリックを記憶するよう、診断医療モダリティに応答的であるコンピュータ読み取り可能な記憶媒体を含む。メトリックは、医療調査に関連して臨床医療計算を実行する所定の規準を有する。プロセッサは、コンピュータ読み取り可能な媒体及びソフトウエア・プログラムに応答的であり、ソフトウエア・プログラムはプロセッサにロードされると、診断医療モダリティにメトリックに基づいて臨床医療計算を行なわせるよう動作可能である。
【００１１】
本発明の更なる面によれば、診断医療モダリティに関連付けられるメトリックを管理するサービスを提供する方法は、コンピュータ読み取り可能な媒体中に、複数の診断医療モダリティに関連付けられる複数のメトリックを与え、メトリックは診断医療モダリティを用いて臨床医療計算を実行するための所定の規準を含む、段階と、複数の診断医療モダリティのうちの少なくとも１つの前に臨床医療計算を実行し、複数のメトリックのうちの少なくとも１つがワールド・ワイド・ウェブを介して少なくとも１つの診断医療モダリティへ自動的にダウンロードされるようにする段階と、少なくとも１つの診断医療モダリティにダウンロードされたメトリックに基づいて臨床医療計算を実行させる段階とを有する。
【発明を実施するための最良の形態】
【００１２】
図面を参照するに、同様の参照番号は同様の構成要素を示し、図１は、診断医療モダリティ上で使用されるのに適応したメトリックを遠隔に管理するアーキテクチャ１０を示す図である。
【００１３】
医療モダリティ１７、１９、及び２１は、望ましくは、例えば、Ｘ線システム、心拍記録計、磁気共鳴撮像システム、超音波、コンピュータ断層撮影スキャナ、及びポジトロン・エミッション断層撮影システム等の望ましくは異なった種類の診断医療システムである。
【００１４】
ブロック図１４に更に詳細に示すように、医療モダリティ２１は、ハードウエア・エンジン３０及びランタイム・エンジン３２を含む。ハードウエア・エンジン３０は、医療調査を行うのに、即ち、経験的データを収集し、医療モダリティ２１の動作中に測定を行うのに、技術者によって使用される医療モダリティ２１に関連付けられる装置を含む。ランタイム・エンジン３２は、医療調査中に医療モダリティ２１に関連付けられる信号処理タイプの動作を含む。
【００１５】
ランタイム・エンジン３２は、メモリといったコンピュータ読み取り可能な記憶媒体３４、及び、コンピュータ読み取り可能な媒体３４に応答的なプロセッサ３６とを含む。適切なランタイム・エンジンの例は、ウェブ・サーバである。多数の記憶媒体、プロセッサ、及びかかる装置の構成が可能であるが、かかる装置及び構成は、周知であり市販されており、特定目的医療モダリティに関連した使用のために当業者によって適応可能である。
【００１６】
プロセッサ３６及びコンピュータ読み取り可能な媒体３４は、医療モダリティ２１に医療調査を行わせるよう動作可能なソフトウエア・プログラム３８に更に応答的である。ソフトウエア・プログラム３８は、望ましくは、機能的なソフトウエア・コンポーネントへ編成され、各ソフトウエア・コンポーネントは、１又はそれ以上の関連する機能又は規則を実施するよう動作可能である。ソフトウエア・プログラム３８は、コンポーネント・スタック４０（以下詳述）によって機能的に例示される。
【００１７】
メトリック１２は、望ましくは、特定の範囲の経験的測定及び所定の入力についての医療結論の通常値を示す、医療モダリティ１７、１９及び２１によってなされる経験的測定と共に用いられる望ましくは標準テキストファイルである。しかしながら、メトリック１２は、医療モダリティ１７、１９、及び２１の臨床ガイドライン、プロトコル、及び任意の他の情報を含むが、これらに限られるものではない任意の種類の情報でありうる。メトリック１２は、望ましくは、周知であり市販の１又はそれ以上のコンピュータ読み取り可能な記憶媒体１３上に位置し、かかる記憶媒体１３は、メトリック管理サービス１６（以下詳述）と地理的に同じ位置にあるか、（例えばプロトコル１５を介して）メトリック管理サービス１６に応答的であり、又は、図示のように、メトリック管理装置１６から遠隔であり、ワールド・ワイド・ウェブ１８又は他の適当な通信プロトコルを介してそれに応答的である（以下詳述）。
【００１８】
メトリック１２を管理する中央メトリック管理装置１６は、インターネット（図示せず）のワールド・ワイド・ウェブ情報サービス１８を介して医療モダリティ１７、１９及び２１並びにメトリック１２に応答的である。
【００１９】
メトリック管理サービス１６は、望ましくは１又はそれ以上のウェブ・サーバを用いて準備されるが、ワールド・ワイド・ウェブ１８を介して遠隔コンピュータ・ネットワークに応答するよう適応された任意の種類のサーバが適切である。メトリック管理サービス１６の地理的な位置は、メトリック１２及び／又は医療モダリティ１７、１９及び２１を管理する責任のある実体（例えば、製造者、病院、他のサービスプロバイダ、又はサービスプロバイダの組合せ）の経営的意思決定による。従って、メトリック管理サービス１６は、１つ又はそれ以上の地理的な位置に単一のサーバ又はサーバ群を含んでもよく、サーバは、メトリック１２及び／又は医療モダリティ１７、１９及び２１から遠隔に配置されてもよく、又はそれらの同じ位置にされてもよい。
【００２０】
メトリック管理サービス１６は、ウェブ・サービス・ソフトウエア２４、マスタ知識ベース２２、及び完全性チェッカー２０を含むコンポーネント・スタック３によって機能的に図示される。
【００２１】
ウェブ・サービス・ソフトウエア２４は、望ましくは、実行された時に、メトリック管理サービス１６に、メトリック１２を検索させ、医療モダリティ１７、１９及び２１へ、またワールド・ワイド・ウェブ１８を介してマスタ知識ベース２２へダウンロードさせることが可能であるモジュール式ソフトウエア・プログラムである。
【００２２】
ウェブ・サービス・ソフトウエア２４に、また保守目的で中央技術者（図示せず）に応答的であるマスタ知識ベース２２は、医療モダリティ１７、１９及び２１に対するメトリック管理サービス１６を与えるのに有用な他のデータ及び情報と共に、メトリック１２のマスタリストを表わす。メトリック１２は、望ましくは、一意の医療モダリティ識別子を用いて特定の医療モダリティ１７、１９及び２１に関連付けられる。マスタ知識ベース２２は、データベース、遠隔情報へのリンクの集合、又はデータ及び情報を格納及び参照する他の適当な手段でありえ、かかる手段は、一般的に周知であり、市販されている。
【００２３】
完全性チェッカー２０は、マスタ知識ベース２２内のメトリック１２といった情報の精度を検証する機能に対応し、望ましくはウェブ・サービス・ソフトウエア２４によってソフトウエア・モジュールとして実施される。完全性チェッカー２０は、医療モダリティ１７、１９及び２１への誤りの伝搬を防止するよう、メトリック１２中の誤りを識別し、訂正する。
【００２４】
医療モダリティ２１に関連付けられるランタイム・エンジン３２に戻ると、一般的にはランタイム・エンジン３２、特にソフトウエア・プログラム３８は、コンポーネント・スタック４０によって機能的に示され、コンポーネント・スタック４０は、ウェブ・インタフェース４２、ローカル知識ベース４４、プラグイン・ファクトリー４６、規則実行エンジン４８、及びアプリケーション５０を含む。
【００２５】
ウェブ・インタフェース４２は、メトリック管理サービス１６と医療モダリティ２１の間の通信に応答的であり、責任をもつ。ウェブ・インタフェース４２の主要機能は、メトリック管理サービス１６から直列に１又はそれ以上のメトリック１２を要求し、受信し、受信されたメトリック１２をローカル知識ベース４４へ向かわせることである。
【００２６】
メトリック管理サービス１６と医療モダリティ２１の間の通信は、望ましくは、Ｓｉｍｐｌｅ  Ｏｂｊｅｃｔ  Ａｃｃｅｓｓ  Ｐｒｏｔｏｃｏｌ（“ＳＯＡＰ”）を介して行われ、メトリック１２は、医療モダリティ２１へダウンロードされる前にＸＭＬフォーマットで直列化されうる。当業者は、メトリック１２を直列化するための包括的な機構が生成されえ、なぜならばＳＯＡＰの現在の実施はＪａｖａＢｅａｎｓを自動的に直列化することが可能だからである。
【００２７】
ウェブ・インタフェース４２及びアプリケーション４６に応答的なローカル知識ベース４４は、特定の医療モダリティ２１によって使用される他のデータ及び情報と共に、メトリック１２のローカル・リストを表わす。ローカル知識ベース４４は、データベース、情報へのリンクの集合、又は情報を記憶し参照する任意の他の適当な手段であり、かかる手段は一般的に周知であり市販されている。
【００２８】
アプリケーション４６は、医療調査を可能とするために特定の医療モダリティ２１内で生ずる信号処理タイプの動作の機能的な表現である。アプリケーション４６は、望ましくは、集合的に、プラグイン・ファクトリー４８を含む多数のソフトウエア・コンポーネントを含む。アプリケーション４６及びプラグイン・ファクトリー４８は、コンポーネント式のソフトウエア開発に対する周知のソフトウエア・エンジニアリングに従って実施されうる。コンポーネント式のソフトウエア開発は、ソフトウエア・コンポーネントの再利用を可能とし、ソフトウエア開発周期を短縮し、ソフトウエアのデバッグ及びテストを単純化する。
【００２９】
プラグイン・ファクトリー４８を有するソフトウエア・コンポーネントは、イベント・ベースの又は規則ベースのシステムでありプラグイン・ファクトリー４８のソフトウエア・コンポーネントでもありうる規則実行エンジン５０を介して互いに通信する。概説するに、規則実行エンジン５０は、多数の規則（以下詳述）を維持し、イベント・ディスパッチャ・コンポーネント５２及びイベント・ハンドラ・コンポーネント５４によって機能的に示される。
【００３０】
規則実行エンジン５０によって維持される規則（図示せず）は、２つの部分、即ち、トリガと、トリガに基づく一組のアクションとを含む。例えば、規則は、医療モダリティ２１上での医療調査中にどのようにメトリック２１を使用するか、及び／又は、特定のトリガに基づいてどのソフトウエア・コンポーネント４８が呼び出されるべきかを定義しうる。規則実行エンジン５０によって保守される規則に対してトリガが生ずると、イベント・ディスパッチャ５２は、プラグイン・ファクトリー４８内で１又はそれ以上のソフトウエア・コンポーネントを呼び出すことによって作用する。イベント・ディスパッチャ５２によって呼び出されたソフトウエア・コンポーネントは、イベント・ハンドラ５４と称される。
【００３１】
図２は、本発明の面による、医療モダリティ２１上での使用に適応したメトリック１２を遠隔に管理するメトリック管理システム１６によって望ましくは実施される方法のフローチャートである。方法は、ブロック２００から開始し、医療モダリティ２１に関連付けられるメトリック１２がワールド・ワイド・ウェブ１８から検索されるブロック２０２へ続く。メトリック１２は、医療モダリティ２１の一意の識別子に基づいてマスタ知識ベース２２から検索されうる。ブロック２０４において、メトリック１２の完全性が検証され、ブロック２０６においてメトリック１２は医療モダリティ２１へダウンロードされる。
【００３２】
メトリック１２の検索を開始するために、医療モダリティ２１は、更新されたメトリック１２、又は一組のメトリックに対してメトリック管理システム１６へ要求（図示せず）を送信する。或いは、メトリック管理サービス１６は、更新されたメトリック１２が利用可能となると、又は他の所定のスケジュールに従って、更新されたメトリック１２の医療モダリティ２１へのダウンロードを自動的に開始しうる。
【００３３】
本発明の他の面によれば、図３は、医療調査中に医療モダリティ２１の信号処理動作を命令するよう、１つ又はそれ以上のメトリック１２を用いる、アプリケーション４６といったソフトウエア・プログラムに応答的な医療モダリティ２１を用いて医療調査を行う方法のフローチャートである。方法は、ブロック３００で開始し、ウェブ・サーバからメトリック１２が要求されるブロック３０２へ続く。この要求は、ランタイム・エンジン３２といったローカル・ウェブ・サーバへアプリケーション４６を介して、又はメトリック管理サービス１６といった遠隔ウェブ・サーバへランタイム・エンジン３２を介してなされうることが考えられる。遠隔ウェブ・サーバからメトリック１２を要求するとき、医療モダリティ２１は一意の識別子を使用しうる。ブロック３０４において、メトリック１２はウェブ・サーバから検索され、医療モダリティ２１上で認識される。ブロック３０６において、ソフトウエア・プログラムが実行され、医療モダリティ２１に、認識されたメトリック１２を用いて医療調査を実行させる。
【００３４】
所望の医療結果に達するために、医療モダリティ２１によって収集された経験的データ又は測定とともに、メトリック１２を用いて或る変数を計算又は推定するよう規則を用いることが必要であり得る。かかる計算又は推定が必要であるとき、前方連鎖（ｆｏｒｗａｒｄ−ｃｈａｉｎｉｎｇ）又は後方連鎖（ｂａｃｋｗａｒｄ−ｃｈａｉｎｉｎｇ）技術が用いられる。後方連鎖技術は、望ましくは本発明の様々な面に従って用いられる。
【００３５】
図４は、本発明の更なる面による医療モダリティ２１及びメトリック１２を用いて医療調査を行うのに用いられる後方連鎖技術を示す図である。医療モダリティ２１の動作中、アプリケーション４６に機能的に関連付けられるプラグイン・ファクトリー４８内のプラグイン・ソフトウエア・コンポーネント（図示せず）が呼び出され、規則実行エンジン５０へ要求４０を送信し、医療モダリティ２１及びメトリック１２の両方によってとられた測定に依存する値の推定を要求する。イベント・ディスパッチャ５２は、要求５０が規則のトリガであるかどうかを判定するよう既知の規則（図示せず）を調べ、トリガされた規則に基づいて、要求４００を特定のイベント・ハンドラ５４へ伝搬する。イベント・ハンドラ５４がトリガされた規則４０２を実行すると、推定値４０４がイベント・ディスパッチャ５２へ戻される。イベント・ディスパッチャ５２は、プラグイン・ファクトリー４８へ推定値４０４を戻す。
【００３６】
医療モダリティ２１及びメトリック１２によってとられる推定の両方に依存する値を推定するトリガされた規則４０２、即ち「Ｅｓｔｉｍａｔｅ  Ｖａｌｕｅ」は、以下の疑似コードを用いてモデル化されうる。
【００３７】
ＥｓｔｉｍａｔｅＶａｌｕｅ（ｖａｌｕｅ）
Ｎ＝Ｇｅｔ  ｌｏｃａｌ  ｍｅｔｒｉｃ  （ｖａｌｕｅ）    Ｄ＝Ｇｅｔ  ｖａｌｕｅ  ｄｅｐｅｎｄｅｎｃｉｅｓ  （Ｎ）
Ｆｏｒ  ｅａｃｈ  Ｄ
Ｉｆ  Ｄ  ｉｓ  ＮＯＴ  ｃｏｍｐｕｔｅｄ
Ｉｆ  Ｄ  ｉｓ  ｍｅａｓｕｒｅｍｅｎｔ  ｔｈｅｎ  ｔｈｅ  ｖａｌｕｅ  ｃａｎｎｏｔ  ｂｅ  ｃｏｍｐｕｔｅｄ
Ｅｌｓｅ  Ｅｓｔｉｍａｔｅ  Ｖａｌｕｅ  （Ｄ）
Ｉｆ  ａｌｌ  ｄｅｐｅｎｄｅｎｃｉｅｓ  ｃｏｍｐｕｔｅｄ，  ｔｈｅｎ  ｃｏｍｐｕｔｅ  ｖａｌｕｅ  ｕｓｉｎｇ  Ｎ。
【００３８】
超音波装置は、例えば、超音波装置により測定された胎児の腹囲といった測定値に基づいて、推定される胎児の体重が所与の胎児及び母体の年齢に対して通常範囲内であるかどうかといった医療結論を決定するのに、標準ファイルといったメトリックを使用しうる。胎児の体重を推定する前に、超音波装置は、推定に関連する標準ファイルを検索する。標準ファイル、及び、特に、胎児の腹囲といった測定値を用いて、推定された胎児の体重は後方連鎖を用いて計算される。
【００３９】
以下説明するアーキテクチャ及び方法は、診断医療モダリティに応答的なメトリック及びソフトウエア・プログラムの別々の保守を可能とする。医療モダリティに対するより高い設計上及び動作上の効率性、並びに、新しいビジネスモデルは、本発明の様々な面に基づいて実現されうる。
【００４０】
本願では、アーキテクチャ１０は、特定の機能的な要素及び関係に関して説明されているが、アーキテクチャ１０は様々な方法で構成されうることが考えられる。例えば、機能的な要素は、一緒に又は個々にパッケージ化されてもよく、又は、より少ない、より多い、或いは異なった装置によって実施されても良く、又は、医療モダリティ内に統合されるか個々の医療モダリティと共に動作するよう適応されてもよい。更に、１つの要素が他の要素に応答的であると示されるとき、要素は、直接的又は間接的に結合されうる。
【００４１】
本発明の或る面の実施に関しては、本願に記載の方法は、任意のコンピュータ読み出し可能な媒体上に（又は電子的に）記憶されたコンピュータ・ソフトウエアを用いて、又はファームウエアを用いて、又はソフトウエアを用いて、又はそれらの任意の組合せを用いて実施されうる。更に、本発明のかかる面は、コンピュータ・プログラム又は信号処理方法のいかなる特定の実施例にも限られるものではない。
【００４２】
本願ではワールド・ワイド・ウェブについて特に参照したが、本発明の実施例は異なった仕様によって記述されるアーキテクチャに対して適用可能であり、異なったインフラストラクチャ及びツール（例えば、医療モダリティにメトリックを更新し与えるためのコンパクトディスク又はディスケットといった別の記憶媒体）に対して応答的であり、本発明の実施例の原理は診断医療モダリティに適用可能であり、他の種類の特定目的システムに対しても適用されうる。
【００４３】
本発明の他の及び更なる形、及び上述の特定の実施例以外の実施例は、添付の特許請求の範囲及びそれと均等のものの趣旨及び範囲を逸脱することなく考えられえ、従って、本発明の範囲は添付の特許請求の範囲及びそれと均等のものによってのみ決定されることが意図される。
【図面の簡単な説明】
【００４４】
【図１】本発明の面による、診断医療モダリティ上での使用に適応したメトリックを遠隔に管理するウェブ接続可能なアーキテクチャを示す図である。
【図２】本発明の面による、診断医療モダリティ上での使用のためのメトリックを遠隔に管理する方法のフローチャートである。
【図３】本発明の他の面による、診断医療モダリティを用いて医療調査を行う方法のフローチャートである。
【図４】本発明の更なる面により、診断医療モダリティを用いて医療調査を行うのに使用される後方連鎖技術を示す図である。
【図１】
2006510982.tif 000003
【図２】
2006510982.tif 000004
【図３】
2006510982.tif 000005
【図４】
2006510982.tif 000006
【国際調査報告】
2006510982.tif 000007
2006510982.tif 000008
2006510982.tif 000009